(57)【要約】      （修正有）【課題】どのような形状の装身具であっても、アレルギーを起こし難い装身具を提供する。【解決手段】ピアス１０は、ピン１２、装飾体１４、及び留め具１６を具えている。ピアス１０は、ピアス１０の装着時、人体に継続的に触れる部位であるピン１２の継続的接触部１１に、ガラスの超微粒子が透明液剤を介して、継続的接触部１１の表面全体を覆った状態で、透明液剤が硬化することによって形成されている硬化ガラス膜を具えているため、ピン１２の継続的接触部１１が人体に触れることによるアレルギーの発生可能性を極めて低くすることができる。【選択図】図１
0003213097.tif 000002
【実用新案登録請求の範囲】
【請求項１】
人体に装着される装身具であって、
前記装身具は、装着時に人体に継続的に触れる部位である継続的接触部を具え、
前記継続的接触部にガラスの超微粒子を含有する無機質の透明液剤が硬化した硬化ガラス膜が形成されていることを特徴とする、
装身具。
【請求項２】
前記装身具が、装着時に人体に触れ得る部位である接触部を具え、
前記接触部にガラスの超微粒子を含有する無機質の透明液剤が硬化した硬化ガラス膜が形成されている、請求項１の装身具。
【請求項３】
前記装身具の前記継続的接触部及び接触部以外の部位を含む全体に、ガラスの超微粒子を含有する無機質の透明液剤が硬化した硬化ガラス膜が形成されている、請求項２の装身具。
【請求項４】
前記硬化ガラス膜の層が多層である、請求項１から３のいずれかの装身具。
【請求項５】
前記継続的接触部が、棒状、鎖状、又は面状である、請求項１から４のいずれかの装身具。
【請求項６】
前記装身具が、ピアス、イヤリング、ネックレス、ブレスレット、アンクレット、リング、ヘアピン、又は腕時計である、請求項１から４のいずれかの装身具。
【考案の詳細な説明】
【技術分野】
【０００１】
本考案は、例えば、ピアス、ネックレス、腕時計など、装着時、人体の皮膚に継続的に接触する部位（以下、単に、「継続的接触部」ともいう。）又は接触し得る部位（以下、単に、「接触部」ともいう。）を有する装身具に関する。
【背景技術】
【０００２】
ピアス、ネックレス、腕時計などの装身具は、継続的接触部又は接触部を有しており、これらの装身具は、金属製であることが多い。そして、金属製の部位が皮膚に触れた場合、その金属の成分により、アレルギー性皮膚炎などの金属アレルギーを起こす可能性がある。また、装身具の継続的接触部又は接触部が樹脂製やゴム製の場合も、皮膚との接触によりアレルギー症状を起こす場合がある。
【０００３】
これまで、アレルギーの発生を予防する装身具が開発されており、例えば、以下に示すものがある。
【先行技術文献】
【特許文献】
【０００４】
【特許文献１】実開平５−２３９１６号公報
【０００５】
特許文献１には、ピアス式イヤリングにおいて、耳朶の挿入孔に挿通される金属製芯材であるイヤリングポストに樹脂被膜層を施したものが開示されている。
【考案の概要】
【考案が解決しようとする課題】
【０００６】
特許文献１のように、金属製芯材に樹脂被膜層を施す場合、確かに、金属アレルギー発生の予防が期待できる。しかし、被膜層が樹脂であるため、樹脂を原因とするアレルギーが発生する可能性がある。また、樹脂被膜層は比較的厚いため、例えば、鎖状のネックレスや、腕時計の裏面などの面状の部位に透明被膜を施し難いという問題もある。
【０００７】
そこで、本考案は、前述した問題点に鑑み、どのような形状の装身具であっても、アレルギーを起こし難い装身具を提供することをその目的とする。
【課題を解決するための手段】
【０００８】
本考案は、人体に装着される装身具であって、
前記装身具は、装着時に人体に継続的に触れる部位である継続的接触部を具え、
前記継続的接触部にガラスの超微粒子を含有する無機質の透明液剤が硬化した硬化ガラス膜が形成されていることを特徴とする装身具によって前記課題を解決した。
【考案の効果】
【０００９】
本考案によれば、装着時、人体に継続的に触れる継続的接触部に、ガラスの超微粒子を含有する無機質の透明液剤が硬化した硬化ガラス膜が形成されているので、アレルギーの発生を防止することができる。すなわち、金属や樹脂、ゴムと異なり、ガラスの超微粒子は無機質であり、また、透明液剤も無機質であるため、本考案の装身具は、アレルギーの発生可能性が極めて低い。なお、ガラスの超微粒子と透明液剤はともに透明であるため、ガラスの超微粒子と透明液剤で形成される層は肉眼で見え難く、装身具の美観を損なうことなく上述の効果を奏することができる。
【００１０】
また、装身具が、装着時に人体に触れ得る部位である接触部を具える場合、当該接触部に対しても、ガラスの超微粒子を含有する無機質の透明液剤が硬化した硬化ガラス膜を形成すれば、装身具を装着することによるアレルギーの発生を一層防止することができる。また、装身具の全体にガラスの超微粒子を含有する無機質の透明液剤が硬化した硬化ガラス膜を形成すれば、継続的接触部や接触部に該当しない部位、例えば、装着時のみに触れる部位も硬化ガラス膜で覆うことができるので、アレルギー発生の防止を一層図ることができる。
【００１１】
硬化ガラス膜の層を多層にすれば、硬化ガラス膜の耐久性、延いては、装身具の耐久性を向上させることができる。
【００１２】
また、硬化ガラス膜は、ガラスの超微粒子を含有する無機質の透明液剤を硬化させることによって形成されるので、継続的接触部が、棒状、鎖状、又は面状であっても適用することができる。よって、従来に比べ、様々な形状の装身具に適用することができる。特に、ピアス、イヤリング、ネックレス、ブレスレット、アンクレット、リング、ヘアピン、又は腕時計などの装身具に適用することができる。
【図面の簡単な説明】
【００１３】
【図１】本考案の第一実施例の装身具の一例を示した図。
【図２】図１の要部拡大断面図。
【図３】本考案の第二実施例の要部拡大断面図。
【考案を実施するための形態】
【００１４】
以下、本考案の実施形態を図１〜３を参照して説明する。但し、本考案はこの実施形態に限定されるものではない。
【００１５】
図１には、本考案の第一実施例の装身具であるピアス１０が示されている。ピアス１０は、ピン１２、装飾体１４、及び留め具１６を具えている。ピアス１０は、人体に設けられた貫通孔（図１では、耳朶２０）にピン１２が挿通され、留め具１６がピン１２に取付けられることにより装着される。
【００１６】
ピン１２は、人体に設けられた貫通孔（図１では、耳朶２０）に挿通される部材である。ピン１２は、ピアス１０の装着時、人体に継続的に触れる部位、すなわち、耳朶２０の貫通孔に対応する部位である継続的接触部１１と、ピン１２を耳朶２０に挿通させるときに人体に触れる接触部（ピン接触部１３）を有する。ピン１２は、通常、金属や樹脂で形成されており、金属メッキ加工が施されている場合もある。ピアス１０において、ピン１２は直線状であるが、湾曲しているタイプのものであってもよい。
【００１７】
ピン１２の一端には、装飾体１４が取付けられている。装飾体１４は、装着時、耳朶２０に接触し得る部位である接触部（装飾体接触部１５）を有している。ピアス１０の場合、装飾体１４は球体であるが、これに換えて、他の形状の装飾体としてもよい。装飾体は、金属や宝玉、宝石で構成されることが多く、装飾体の一部がピンと連続していることもあり得る。なお、耳朶２０から離れた位置に取付けられる装飾体の場合など、装飾体接触部を有しないものもあることは言うまでもない。
【００１８】
ピン１２の他端には、留め具１６が取付けられている。すなわち、ピアス１０は、装飾体１４と留め具１６で耳朶２０を挟む形で装着される。留め具１６は、装着時、耳朶２０に接触し得る部位である接触部（留め具接触部１８）を有している。なお、留め具は、通常、金属や樹脂で形成されており、金属メッキ加工が施される場合もある。留め具の形状は、公知のものを適用することができる。
【００１９】
図２に示すように、ピン１２の継続的接触部１１には、硬化ガラス膜Ａが形成されている。硬化ガラス膜Ａは、単体の直径が０．２μｍよりも小さいガラスの超微粒子３２が、透明液剤３４を介して、継続的接触部１１の表面全体を覆った状態で、透明液剤３４が硬化することによって形成されている。ガラスの超微粒子３２は、強化ガラスの超微粒子としてもよい。透明溶剤３４は、１００％無機質の溶剤であって、水分を条件に硬化する液体を適用することができる。硬化ガラス膜Ａの厚さは、０．２〜０．８μｍである。なお、継続的接触部１１の表面に傷がある場合、ガラスの超微粒子３２と透明液剤３４がその傷に入り込み、硬化する。よって、継続的接触部１１の表面状態に関わらず、硬化ガラス膜Ａを形成させることができる。ガラスの超微粒子３２は無機質であり、また、透明液剤３４も無機質であるため、硬化ガラス膜Ａが形成されているピン１２の継続的接触部１１が人体に触れることによるアレルギーの発生可能性は、極めて低い。なお、硬化ガラス膜Ａが形成されることにより、ピアス１０の耐熱性の向上、メッキの変色防止、錆防止、傷の付着防止、印字が消え難くなる、などの効果も奏することができる。
【００２０】
硬化ガラス膜Ａは、以下の方法により形成することができる。まず、ガラスの超微粒子３２を含有する液状の透明液剤３４を準備する。その透明液剤３４を布等に含浸させ、対象部位に塗布する。或いは、対象の装身具を透明液剤３４に浸してもよい。次に、透明液剤３４が塗布された部位に水分を含ませ、透明液剤３４を硬化させる。水分を含ませる方法としては、水分を含んだ布を対象部位に押し当てる、対象部位に霧吹きする、或いは、対象部位にスチームを当てるなどの方法がある。上記の方法で硬化ガラス膜Ａは形成される。上記のとおり、硬化ガラス膜Ａを形成するために、透明液剤３４を対象部位に塗布する必要がある。よって、透明液剤３４を吸収する紙や布等の素材以外には、硬化ガラス膜Ａを形成させることが可能である。
【００２１】
ピアス１０の場合、継続的接触部１１の他に、接触部である装飾体接触部１５と留め具接触部１８に硬化ガラス膜Ａを形成することにより、ピアス１０を装着することによるアレルギーの発生を一層防止することができる。また、継続的接触部１１、ピン接触部１３、装飾体接触部１５、及び留め具接触部１８以外の部位を含むピアス１０の全体に硬化ガラス膜Ａを形成すれば、例えば、装着時のみに触れる部位も硬化ガラス膜Ａで覆うことができるので、アレルギー発生の防止を一層図ることができる。
【００２２】
図３は、ピアス１０と同形のピアス１０ａの継続的接触部１１ａに硬化ガラス膜Ａ，Ｂが形成されている実施例を示している。このように、硬化ガラス膜は、多層にすることができる。多層にする方法としては、硬化ガラス膜Ａを形成した後、さらに、上述した硬化ガラス膜形成処理を行い、硬化ガラス膜Ｂを形成すればよい。なお、硬化ガラス膜Ｂは、硬化ガラス膜Ａと同様の構成であり、ガラスの超微粒子４２が、透明液剤４０を介して、硬化ガラス膜Ａの表面全体を覆った状態で、透明液剤４０が硬化することによって形成されている。このように、硬化ガラス膜を多層にすることにより、硬化ガラス膜Ａ，Ｂの耐久性、延いては、ピアス１０ａの耐久性を向上させることができる。
【００２３】
図示をしての説明は省略するが、硬化ガラス膜は、ピアス１０のような装身具以外にも、例えば、イヤリング、ネックレス、ブレスレット、アンクレット、リング、ヘアピン、又は腕時計などの装身具に形成させることもできる。イヤリングの場合、耳朶を挟むときに耳朶に接触する部位が継続的接触部である。ネックレス、ブレスレット、アンクレット、リングの場合は、全体が継続的接触部となり得る。ヘアピンの場合、装着時、頭皮に面する部位が継続的接触部である。また、腕時計の場合、文字盤の裏面（腕に面する面）とベルトの裏面が継続的接触部である。本考案は、上述のとおり、液状の透明液剤を硬化させるという方法で硬化ガラス膜を形成させるものであるから、鎖状のネックレス、ブレスレット、又はアンクレットでも、腕時計の文字盤の裏面のような面状でも適用することができる。なお、上記の装身具が、それぞれ、接触部を有する場合は、当該接触部に硬化ガラス膜を形成させてもよく、装身具の全体に硬化ガラス膜を形成させてもよい。
【００２４】
以上に説明したように、本考案によれば、どのような形状の装身具であっても、アレルギーを起こし難い装身具を提供することができる。
【符号の説明】
【００２５】
１０，１０ａ  ピアス（装身具）
１１    継続的接触部
１３，１５，１８  接触部
３２    ガラスの超微粒子
３４    透明液剤
Ａ，Ｂ  硬化ガラス膜
【図１】
0003213097.tif 000003
【図２】
0003213097.tif 000004
【図３】
0003213097.tif 000005